(57)【要約】【課題】輸液バッグもしくは輸液容器を覆って収納可能な遮光袋において、遮光袋にフック吊り下げのための開口部をあける際にも、開口部が小さく、外部からの光の影響を受けることの少ない遮光袋を提供することを課題とする。【解決手段】輸液容器を、内部に収容可能な、遮光袋であって、遮光袋は周縁部で密封されて製袋されており、輸液容器は、フック吊り下げ用の穴を有して、吊り下げ用の穴が、遮光袋の上辺シール部に近くなるよう収納されており、未シール部の積層体には、上辺の中央を中心にして略左右対称となる２箇所の切込みが表裏の積層体それぞれに設けてあり、表裏の積層体の、それぞれ２箇所の切込みの中間を、未シール部からシール部に向けて引っ張って、輸液容器の吊り下げ用穴を露出可能に、遮光袋を開封することができ、上辺シール部は、開封部分のシールの剥離強度を小さく設けてあることを特徴とする遮光袋である。【選択図】図１
2019213595.tif 000002
【特許請求の範囲】
【請求項１】
輸液バッグもしくは輸液容器を、内部に収容する遮光袋であって、
該輸液バッグもしくは輸液容器として、その開口予定部の反対側の底部に、フック吊り下げ用の穴を有しているものを使用し、かつ該吊り下げ用の穴が、遮光袋の上辺に近くなるよう収納する遮光袋において、
該遮光袋は、遮光性を有する層を含んで、プラスチックフィルムを基材とした積層体からなり、
該遮光袋の上辺は、シール部外側に未シール部を残してシールされており、
他の辺はシールまたは、積層体が折り返されて、遮光袋は周縁部で密封されて製袋されており、
該未シール部の積層体には、上辺の中央を中心にして略左右対称となる２箇所の切込みが表裏の積層体それぞれに設けてあり、
該表裏の積層体の、それぞれ２箇所の切込みの中間を、未シール部からシール部に向けて下方に引っ張って、輸液バッグもしくは輸液容器の吊り下げ用穴を露出可能に、遮光袋を開封することができ、
該上辺シール部は、開封部分のシールの剥離強度を小さく設けてあることを特徴とする、遮光袋。
【請求項２】
前記輸液バッグもしくは輸液容器の、吊り下げ用穴の露出は、表裏積層体のそれぞれ２箇所の切込みから、下方に連続して設けられた易開封機構に沿って行われることを特徴とする、請求項１に記載の遮光袋。
【請求項３】
前記開封部分のシールの剥離強度を小さく設けてある部分は、低温度域でのシールが、高温度域でのシールより剥離強度が小さいシーラントを用いて、低温度域でシールを行なったものであることを特徴とする、請求項１または請求項２に記載の遮光袋。
【請求項４】
前記開封部分の、部分的にシールの剥離強度を小さく設けてある部分は、遮光袋上方に向けて屋根型に、への字形状で設けてあることを特徴とする、請求項１〜請求項３のいずれかに記載の遮光袋。
【請求項５】
前記遮光袋の下辺には、遮光袋の下部を開封可能に、易開封機構を備えた開封予定線が設けてあることを特徴とする、請求項１〜請求項４のいずれかに記載の遮光袋。
【発明の詳細な説明】
【技術分野】
【０００１】
本発明は遮光袋に関するものである。特に医療現場で用いられる、輸液バッグ用の遮光袋に関するものである。
【背景技術】
【０００２】
点滴用の輸液バッグ、あるいは輸液容器において、投与する際に遮光が必要になる場合がある。たとえば、紫外線によるビタミンの光分解を防止したり、光に対して不安定な薬物において、投与する際に輸液バッグ、あるいは輸液容器、さらに必要に応じて輸液経路全般への遮光が必要になる。
【０００３】
このような場合に、輸液バッグ、あるいは輸液容器への外層袋として、遮光袋を被せて使用することが行なわれている。
【０００４】
しかしながら、一般に薬液の投与は、輸液バッグ、あるいは輸液容器をフックに吊り下げて輸液のチューブをへて投与する方法がとられる。そのため、輸液バッグ、あるいは輸液容器にはフックに吊り下げるための穴がもうけてある。したがって、同様に吊り下げのための穴を露出させるための開口部を、外層袋である遮光袋に設ける必要がある。
【０００５】
特許文献１には、輸液バッグ用の輸液容器外層袋の提案があるが、吊り下げに際しては外層袋の上部を大きく切り取る方式であるために、開口部から外光が輸液バックに当るおそれがあって、改善が求められている。
【先行技術文献】
【特許文献】
【０００６】
【特許文献１】特開２０１１−１０４３３１号公報
【発明の概要】
【発明が解決しようとする課題】
【０００７】
本発明はかかる状況に鑑みてなされたものであり、輸液バッグもしくは輸液容器を覆って収納可能な遮光袋において、遮光袋にフック吊り下げのための開口部をあける際にも、開口部が小さく、外部からの光の影響を受けることの少ない遮光袋を提供することを課題とする。
【課題を解決するための手段】
【０００８】
上記の課題を解決するための手段として、請求項１に記載の発明は、
輸液バッグもしくは輸液容器を、内部に収容する遮光袋であって、
該輸液バッグもしくは輸液容器として、その開口予定部の反対側の底部に、フック吊り下げ用の穴を有しているものを使用し、かつ該吊り下げ用の穴が、遮光袋の上辺に近くなるよう収納する遮光袋において、
該遮光袋は、遮光性を有する層を含んで、プラスチックフィルムを基材とした積層体からなり、
該遮光袋の上辺は、シール部外側に未シール部を残してシールされており、
他の辺はシールまたは、積層体が折り返されて、遮光袋は周縁部で密封されて製袋されており、
該未シール部の積層体には、上辺の中央を中心にして略左右対称となる２箇所の切込みが表裏の積層体それぞれに設けてあり、
該表裏の積層体の、それぞれ２箇所の切込みの中間を、未シール部からシール部に向け
て下方に引っ張って、輸液バッグもしくは輸液容器の吊り下げ用穴を露出可能に、遮光袋を開封することができ、
該上辺シール部は、開封部分のシールの剥離強度を小さく設けてあることを特徴とする、遮光袋である。
【０００９】
また、請求項２に記載の発明は、
前記輸液バッグもしくは輸液容器の、吊り下げ用穴の露出は、表裏積層体のそれぞれ２箇所の切込みから、下方に連続して設けられた易開封機構に沿って行われることを特徴とする、請求項１に記載の遮光袋である。
【００１０】
また、請求項３に記載の発明は、
前記開封部分のシールの剥離強度を小さく設けてある部分は、低温度域でのシールが、高温度域でのシールより剥離強度が小さいシーラントを用いて、低温度域でシールを行なったものであることを特徴とする、請求項１または請求項２に記載の遮光袋である。
【００１１】
また、請求項４に記載の発明は、
前記開封部分の、部分的にシールの剥離強度を小さく設けてある部分は、遮光袋上方に向けて屋根型に、への字形状で設けてあることを特徴とする、請求項１〜請求項３のいずれかに記載の遮光袋である。
【００１２】
また、請求項５に記載の発明は、
前記遮光袋の下辺には、遮光袋の下部を開封可能に、易開封機構を備えた開封予定線が設けてあることを特徴とする、請求項１〜請求項４のいずれかに記載の遮光袋である。
【発明の効果】
【００１３】
本発明によれば、輸液バッグもしくは輸液容器を覆って収納可能な遮光袋において、遮光袋にフック吊り下げのための開口部をあける際にも、開口部が小さく、外部からの光の影響を受けることの少ない遮光袋を提供することが可能である。
【００１４】
特に請求項２に記載の発明によれば、輸液バッグもしくは輸液容器の、吊り下げ用穴の露出は、表裏積層体のそれぞれ２箇所の切込みから、下方に連続して設けられた易開封機構に沿って行われることによって、遮光袋の開封をより容易かつ正確に行なうことが可能である。
【００１５】
特に請求項３に記載の発明によれば、開封部分のシールの剥離強度を小さく設けてある部分は、低温度域でのシールが、高温度域でのシールより剥離強度が小さいシーラントを用いて、低温度域でシールを行なったものであることによって、異なった剥離強度の実現をより容易に行なうことが可能である。
【００１６】
特に請求項４に記載の発明によれば、開封部分の、部分的にシールの剥離強度を小さく設けてある部分は、遮光袋上方に向けて屋根型に、への字形状で設けてあることによって、表裏の積層体の、それぞれ２箇所の切込みの中間を、未シール部からシール部に向けて下方に引っ張って開封する際に、への字の稜線に安定して応力集中が可能であるため、シール部分の剥離をより容易に、円滑に行なうことが可能になる。
【００１７】
特に請求項５に記載の発明によれば、遮光袋の下辺には、遮光袋の下部を開封可能に、易開封機構を備えた開封予定線が設けてあることによって、輸液バッグもしくは輸液容器の開口予定部をより容易に露出させることができる。
【００１８】
同時に遮光袋が開封された部分は下向きであるから、外光の影響をより小さくすること
が可能である。また、輸液バッグもしくは輸液容器開口予定部を露出させることによって、輸液のチューブ取り付けなどの作業が可能になる。
【図面の簡単な説明】
【００１９】
【図１】図１は本発明に係る遮光袋の、一実施態様を説明するための平面(一部透視)模式図である。
【図２】図２は本発明に係る遮光袋の、開封の手順を説明するための斜視模式図(部分)である。
【図３】図３は本発明に係る遮光袋の、開封した状態を説明するための斜視模式図(部分)である。
【図４】図４は本発明に係る遮光袋の、上部および下部ともに開封した状態を説明するための平面（一部透視）模式図である。
【発明を実施するための形態】
【００２０】
以下、本発明を図を参照しながら、更に詳しい説明を加える。ただし本発明は、ここに示す例にのみ限定されるものではない。本発明は、請求項によって限定されるものである。
【００２１】
図１は本発明に係る遮光袋の、一実施態様を説明するための平面(一部透視)模式図である。
【００２２】
遮光袋（１００）は、輸液容器（２０）を内部に収容可能であって、遮光性を有する層を含んで、プラスチックフィルムを基材とした積層体からなる。輸液容器（２０）は、同様の機能を有する、所謂輸液バッグであってもよい。
【００２３】
遮光袋（１００）の上辺（１０）は、上辺シール部（２）外側に未シール部（１）を残してシールされており、遮光袋（１００）の他の周縁部はシールまたは、積層体が折り返されて、遮光袋（１００）は密封されて製袋されている。
【００２４】
図１に示す例においては、本発明による遮光袋（１００）には、輸液容器（２０）が、収納されている。輸液容器（２０）は、その内容液（２３）の取り出し口である、口部（２２）を有し、反対側にはフック吊り下げ用穴（２１）を有する。
【００２５】
遮光袋（１００）は、遮光性を有するゆえに、輸液容器（２０）の内容液を、外部の光線の影響から保護し、保存することに効果的であるが、たとえば医療現場などでの薬液の投与の際には、上部を開封してフック吊り下げ用穴（２１）を露出させ、また、遮光袋（１００）の下部（１１）は、輸液容器（２０）の口部（２２）を、点滴などの輸液チューブ等と接続するために開封する。
【００２６】
フック吊り下げ用穴（２１）を露出させることによって、輸液容器（２０）を、遮光袋（１００）をカバーとしてまとったままで、フック吊り下げ用穴（２１）から吊り下げることが可能になる。
【００２７】
また、遮光袋下部は輸液容器（２０）の口部（２２）を点滴などの輸液チューブと接続するために開封するときにも、遮光袋（１００）下部（１１）の開封口は下向きに開封された状態であるために、外光の影響を受けにくい。
【００２８】
このように、遮光袋（１００）の開封を最小限の面積で行うことによって、点滴時間中も、外部からの光線の影響を最小限にすることが可能であり、望ましい。たとえばビタミンの光分解など外光による影響を防止するために効果的である。
【００２９】
フック吊り下げ用穴（２１）については、輸液容器（２０）口部（２２）の反対側の、輸液容器（２０）底部に、フック吊り下げ用穴（２１）が設けてあり、遮光袋（１００）の上辺シール部（２）に近くなるよう収納されており、この部分を必要な分だけ開封することが望ましい。
【００３０】
遮光袋（１００）の下部（１１）の開封は、たとえば下部（１１）の開封予定線（８）に沿って行なうことができ、刃物やはさみを使って切り裂く方法もあり、開封予定線（８）に沿って、易開封機構を設けて手指による開封を可能にしたり、切込み（７）を設けて開封のきっかけにするなどすることができる。
【００３１】
図２は本発明に係る遮光袋の、開封の手順を説明するための斜視模式図（部分）である。
【００３２】
本発明による遮光袋（１００）において、上辺（１０）未シール部（１）の積層体には、上辺（１０）の中央を中心にして略左右対称となる２箇所の切込み（５）が、表側の積層体（１２）、および後ろ側の積層体（１３）のそれぞれに設けてある。
【００３３】
上辺（１０）の開封は、これら切込み（５）の間の部分で行なわれるのであって、切込み（５）から連続する開封予定線（６）に沿って、下方に向かって切り裂いて行なわれる。
【００３４】
開封予定線（６）は、輸液容器（２０）の吊り下げ用穴（２１）の露出が可能となる幅で設けられ、また長さも輸液容器（２０）の吊り下げ用穴（２１）の露出が可能となる長さで設ければよい。
【００３５】
開封の作業は表側の積層体（１２）、および後ろ側の積層体（１３）の、それぞれ２箇所の切込み（５）の中間を、指でつかむなどして、未シール部（１）から上辺シール部（２）に向けて下方に引っ張って、輸液バッグもしくは輸液容器（２０）のフック吊り下げ用穴（２１）を露出可能に、遮光袋（１００）を開封することができる。
【００３６】
引っ張りは、表側の積層体を矢印（１５）の方向に、後ろ側の積層体（１３）を矢印（１６）の方向に引っ張って行なうことができる。
【００３７】
また、本発明においては、上辺シール部（２）は、開封部分のシールの剥離強度を小さく設けてあるために、開封は容易となる。
【００３８】
また、図２に示す例においては、開封部分の、部分的にシールの剥離強度を小さく設けてある部分は、遮光袋（１００）上方に向けて屋根型（４）に、への字形状で設けてあり、これによって、開封時の未シール部（１）から下方への引っ張りの力は、上辺シール部（２）に斜め方向に、かつ連続して加わることになり、より円滑で容易な開封を可能にすることができる。
【００３９】
また、開封部分のシールの剥離強度を小さく設けてある部分は、たとえば、低温度域でのシールが、高温度域でのシールより剥離強度が小さいシーラントを用いて、低温度域でシールを行なって、その差を作り出すことができる。
【００４０】
一方、表裏の積層体、すなわち表側の積層体（１２）、および後ろ側の積層体（１３）に設けられた、切込み（５）から連続するそれぞれの開封予定線（６）には、易開封機構を設けておくことができ、これによっても、より円滑で容易な開封を可能にすることがで
きる。
【００４１】
図３は本発明に係る遮光袋の、開封した状態を説明するための斜視模式図(部分)である。
【００４２】
図３に示す状態においては、上述の手順に従って開封された、遮光袋上辺（１０）は、矢印（１７）方向に引き下げられ、輸液容器（２０）のフック吊り下げ穴（２１）が露出している状態である。
【００４３】
この状態において、フック吊り下げ穴（２１）は、フックによって吊り下げが可能であり、遮光袋（１００）はそのまま輸液容器（２０）の覆いとして、残しておくことができる。
【００４４】
図４は本発明に係る遮光袋の、上部および下部ともに開封した状態を説明するための平面（一部透視）模式図である。
【００４５】
図４に示す状態において、遮光袋上辺（１０）が開封され、下部（１１）が開封予定線（８）で切り裂かれて除去されて、遮光袋（１００）には開口部（１４）が設けられた状態である。
【００４６】
また、遮光袋（１００）、および輸液容器（２０）は、フック吊り下げ用穴（２１）に通された、フック（３０）によって吊るされた状態である。この状態において、遮光袋（１００）の開封は最小限の面積でなされており、たとえば点滴時間中も、外部からの光線の影響を最小限にすることが可能であって、望ましい状態である。
【００４７】
このように、本発明によれば、輸液バッグもしくは輸液容器を覆って収納可能な遮光袋において、遮光袋にフック吊り下げのための開口部をあける際にも、開口部が小さく、外部からの光の影響を受けることの少ない遮光袋を提供することが可能である。
【実施例】
【００４８】
以下本発明を、実施例、および比較例によって更に具体的な説明を加える。ただし本発明は、ここに示す例にのみ限定されるものではない。本発明は、請求項によって限定されるものである。
【００４９】
＜実施例１＞
本発明による遮光袋を作成して評価した。
形状は図１に示す例と同様のものとした。
（層構成）
遮光袋を構成する積層体の層構成は下記のとおりである。遮光袋外側から、
無機化合物蒸着付きポリエチレンテレフタレートフィルム（厚さ１２μｍ）／遮光層／直鎖状低密度ポリエチレン（厚さ５０μｍ）。
【００５０】
直鎖状低密度ポリエチレン（厚さ５０μｍ）はシーラント層であるが、シール温度によってシール強度が２段階に分かれるものを用いた。
具体的には、シール温度が２００℃以下ではシール強度は１０Ｎ／１５ｍｍであり、２１０℃を超えると４０Ｎ／１５ｍｍのものを用いた。
但しシール条件は、０．２ＭＰａ，１秒シールとした。
【００５１】
遮光袋上辺には、上辺の中央を中心にして左右対称となる２箇所の切込みが表裏の積層体それぞれに設け、さらにそれらに連続する開封予定線には、レーザー光によるハーフカ
ットの易開封機構を付与した。
【００５２】
＜比較例１＞
従来より一般的に用いられている遮光袋を評価した。
特徴は、遮光袋上辺の、吊り下げ用穴部分の開封、露出は、周辺を半円形に大きく切り取る方式のものである。
【００５３】
評価項目は下記の項目とした。
・遮光性
・吊り下げ性
・吊り下げ部カット性
・加工性
・価格
・輸送性。
【００５４】
評価結果を表１に示す。
【００５５】
【表１】
2019213595.tif 000003
【００５６】
表１に示す結果から、本発明による遮光袋である実施例１が、従来の遮光袋である比較例１に比較して、遮光性、吊り下げ部カット性において優れている。したがって、総合評価においても実施例１が優れている〇評価となった。
【００５７】
このように、輸液バッグもしくは輸液容器を覆って収納可能な遮光袋において、遮光袋にフック吊り下げのための開口部をあける際にも、開口部が小さく、外部からの光の影響を受けることの少ない遮光袋を提供することが可能である。
【符号の説明】
【００５８】
１・・・未シール部
２・・・上辺シール部
３・・・シール部
４・・・屋根型
５・・・切込み
６・・・開封予定線
７・・・切込み
８・・・開封予定線
１０・・・遮光袋上辺
１１・・・下部
１２・・・表側の積層体
１３・・・後ろ側の積層体
１４・・・開口部
１５・・・矢印
１６・・・矢印
１７・・・矢印
２０・・・輸液容器
２１・・・吊り下げ用穴
２２・・・口部
２３・・・内容液
３０・・・フック
１００・・・遮光袋
【図１】
2019213595.tif 000004
【図２】
2019213595.tif 000005
【図３】
2019213595.tif 000006
【図４】
2019213595.tif 000007